(57)【要約】【課題】各コンタクト間のピッチが大きく、かつ、コネクタが小型に構成され、更に、インシュレータの成形が容易で、しかも、強度が向上するコネクタを提供する。【解決手段】ＦＰＣ用コネクタ１のインシュレータ２には、複数の第１のコンタクト３と第２のコンタクト（図示せず）とが紙面に直交する方向に一定のピッチで千鳥状に配設される。各第１のコンタクトは、第１の横方向部３ａと、第２の横方向部３ｂと、両横方向部を連結するばね性を有する縦方向部３ｃとから一体に構成される。第１の横方向部は、一端側に接点部３ａ１、他端側に被押圧部３ａ２、及び、中間に縦方向部に連結する連結部３ａ３を有する。ＦＰＣ（図示せず）をインシュレータの挿入部２ａに挿入した後、操作部５をその一対の回転軸（図示せず）を支点として右方向に９０°回転させる。すると、操作部の押圧部５ｂは被押圧部を押圧するので、接点部はＦＰＣの表面の接点に接触し、各第２のコンタクトの接点部はＦＰＣの裏面の接点に接触する。【選択図】　　　図２
2004127558.tif 000002
【特許請求の範囲】
【請求項１】
複数の第１のコンタクトと、複数の第２のコンタクトと、前記各第１のコンタクト及び前記各第２のコンタクトを保持するインシュレータと、前記インシュレータに作動可能に保持されるアクチュエータとを有し、前記アクチュエータが操作されることによって基板と接続されるコネクタにおいて、
前記各第１のコンタクトは、一端側に接点部と、他端側に前記アクチュエータに操作される被操作部と、中間に前記接点部と前記操作部を連結して回転中心になる連結部とを有し、
前記各第２のコンタクトは、接点部を有し、
前記インシュレータは、対向する一対の側壁を有し、
前記各第１のコンタクトの接点部は、前記一対の側壁の一方に配設され、前記各第２のコンタクトの接点部は、前記一対の側壁の他方に配設され、
前記基板が前記コネクタに対して挿入抜去される方向と直交するピッチ方向において、前記各第１のコンタクトと前記各第２のコンタクトとは、千鳥状に配設され、
前記各第１のコンタクトの接点部は、前記基板の一面側と接続し、前記各第２のコンタクトの接点部は、前記基板の他面側と接続することを特徴とするコネクタ。
【請求項２】
前記各第１のコンタクトの少なくとも一部は、ばね性を有し、前記基板と接続する際弾性変形し、前記各第２のコンタクトは、ばね性を有しないことを特徴とする請求項１記載のコネクタ。
【発明の詳細な説明】
【０００１】
【発明の属する技術分野】
本発明は、コネクタにおけるコンタクトの配設構造に関し、一用途例として狭ピッチＦＰＣ（Ｆｌｅｘｉｂｌｅ　Ｐｒｉｎｔｅｄ　Ｃｉｒｃｕｉｔ）用コネクタに関する。
【０００２】
【従来の技術】
従来のＦＰＣ用コネクタについて説明する（例えば、特許文献１参照。）。図６（Ａ）は、ＦＰＣがコネクタに嵌合する前の状態、図６（Ｂ）は、ＦＰＣ（図示せず）がコネクタに嵌合した状態を、それぞれ示す。
【０００３】
コネクタ２１のインシュレータ２２には、右側（嵌合側の反対側）に多数の第１のコンタクト２３が紙面に直交する方向に一定のピッチで保持され、また、左側（嵌合側）に多数の第２のコンタクト２４が一定のピッチで保持される。各第１のコンタクト２３と各第２のコンタクト２４とは、一直線状に配設される。更に、インシュレータ２２には、操作部（アクチュエータ）２５が９０°回転可能に保持される。
【０００４】
第１のコンタクト２３は、第１の横方向部２３ａと、第２の横方向部２３ｂと、両横方向部２３ａ，２３ｂを連結する縦方向部２３ｃとから一体に構成される。第１の横方向部２３ａは、一端側に接点部２３ａ１、他端側に被押圧部２３ａ２、及び、中間に縦方向部２３ｃとの連結部２３ａ３を有する。第２の横方向部２３ｂは、一端側にインシュレータ２２の下部壁２２ａへの固定部２３ｂ１、他端側にインシュレータ２２の下部壁２２ａへのコ字状固定部２３ｂ２とプリント基板等に接続する端子部２３ｂ３、及び、中間に縦方向部２３ｃに連結する連結部２３ｂ４を有する。
【０００５】
第２のコンタクト２４は、一端側にプリント基板等に接続する端子部２４ａ、他端側に接点部２４ｂ、及び、中間に略Ｕ字状の連結部２４ｃを有する。
【０００６】
第１のコンタクト２３の固定部２３ｂ１は、インシュレータ２２の下部壁２２ａに形成された断面略コ字状部２２ａ１に圧入され、コ字状固定部２３ｂ２は、下部壁２２ａの右側端部２２ａ２に圧入される。第２のコンタクト２４の連結部２４ｃは、下部壁２２ａの左側端部２２ａ３に圧入される。
【０００７】
コネクタ２１とＦＰＣ（図示せず）との嵌合離脱は、次の操作によって行われる。
【０００８】
図６（Ａ）に示される状態において、まず、ＦＰＣをインシュレータ２２の挿入部２２ｂに挿入する。次に、操作部２５を回転軸（図示せず）を支点として右方向に９０°回転させると、操作部２５は、図６（Ｂ）に示される実線の位置に至る。すると、操作部２５の押圧部２５ａは、第１のコンタクト２３の被押圧部２３ａ２を押圧する。したがって、第１のコンタクト２３は、連結部２３ａ３を中心として若干左回転するので、接点部２３ａ１は、図６（Ｂ）に示される位置まで下方に変位し、ＦＰＣの表面の接点と接触する。また、ＦＰＣの裏面の接点は、第２のコンタクト２４の接点部２４ｂと接触する。この結果、ＦＰＣの表裏両面は、それぞれ第１のコンタクト２３と第２のコンタクト２４を介してプリント基板等と接続する。このように、コネクタ２１とＦＰＣとの嵌合は、行われる。
【０００９】
ＦＰＣをコネクタ２１から離脱させる操作は、次のように行われる。図６（Ｂ）に示される嵌合後の状態において、操作部２５を実線の位置から２点鎖線の位置まで左方向に９０°回転させると、第１のコンタクト２３の接点部２３ａ１は、図６（Ａ）に示される状態まで復帰する。したがって、ＦＰＣは、第１のコンタクト２３と接触していないので、インシュレータ２２の挿入部２２ｂから抵抗なく抜出可能である。
【００１０】
【特許文献１】
特開２００２−１９０３６０号公報（第３，４頁、図１−４）
【００１１】
【発明が解決しようとする課題】
前記従来のＦＰＣ用コネクタでは、第１のコンタクトと第２のコンタクトとが一列（一直線）に配設され、各コンタクト間のピッチが狭いため、インシュレータ（樹脂製）の成形が煩雑で、また、インシュレータの強度が不十分である。
【００１２】
そこで、本発明は、前記従来のＦＰＣ用コネクタの欠点を改良し、各コンタクト間のピッチが大きく、かつ、コネクタが小型に構成され、更に、インシュレータの成形が容易で、しかも、強度が向上するコネクタを提供しようとするものである。
【００１３】
【課題を解決するための手段】
本発明は、前記課題を解決するため、次の手段を採用する。
【００１４】
１．複数の第１のコンタクトと、複数の第２のコンタクトと、前記各第１のコンタクト及び前記各第２のコンタクトを保持するインシュレータと、前記インシュレータに作動可能に保持されるアクチュエータとを有し、前記アクチュエータが操作されることによって基板と接続されるコネクタにおいて、前記各第１のコンタクトは、一端側に接点部と、他端側に前記アクチュエータに操作される被操作部と、中間に前記接点部と前記操作部を連結して回転中心になる連結部とを有し、前記各第２のコンタクトは、接点部を有し、前記インシュレータは、対向する一対の側壁を有し、前記各第１のコンタクトの接点部は、前記一対の側壁の一方に配設され、前記各第２のコンタクトの接点部は、前記一対の側壁の他方に配設され、前記基板が前記コネクタに対して挿入抜去される方向と直交するピッチ方向において、前記各第１のコンタクトと前記各第２のコンタクトとは、千鳥状に配設され、前記各第１のコンタクトの接点部は、前記基板の一面側と接続し、前記各第２のコンタクトの接点部は、前記基板の他面側と接続するコネクタ。
【００１５】
２．前記各第１のコンタクトの少なくとも一部は、ばね性を有し、前記基板と接続する際弾性変形し、前記各第２のコンタクトは、ばね性を有しない前記１記載のコネクタ。
【００１６】
【発明の実施の形態】
本発明の一実施の形態例の狭ピッチＦＰＣ用コネクタについて図１〜図５を参照して説明する。
【００１７】
図１（Ａ）〜（Ｄ）は、コネクタの諸図である。コネクタ１の長方形状のインシュレータ２には、後側（嵌合側の反対側）に多数の第１のコンタクト３が一定のピッチで保持され、また、前側（嵌合側）に多数の第２のコンタクト４が一定のピッチで保持される。更に、インシュレータ２には、操作部（アクチュエータ）５がその両側に設けられた一対の回転軸５ａを支点として９０°回転可能に保持される。各第１のコンタクト３と各第２のコンタクト４とは、ピッチ方向において千鳥状に配設される。
【００１８】
図２は、ＦＰＣ１１（図４と図５参照）がコネクタ１に嵌合する前の状態における第１のコンタクト３とその付近の断面図である。インシュレータ２は、ＦＰＣ１１が挿入される挿入部２ａの上下両側に一対の上部側壁２ｂと下部側壁２ｃとを有する。
【００１９】
第１のコンタクト３は、第１の横方向部３ａと、第２の横方向部３ｂと、両横方向部３ａ，３ｂを連結するばね性を有する縦方向部３ｃとから一体に構成される。第１の横方向部３ａは、一端側に接点部３ａ１、他端側に被押圧部３ａ２、及び、中間に縦方向部３ｃに連結する連結部３ａ３を有する。第２の横方向部３ｂは、一端側に下部側壁２ｃへの固定部３ｂ１、他端側にプリント基板等に接続する端子部３ｂ２、及び、中間に縦方向部３ｃに連結する連結部３ｂ３を有する。
【００２０】
図３は、ＦＰＣ１１がコネクタ１に嵌合する前の状態における第２のコンタクト４とその付近の断面図である。
【００２１】
第２のコンタクト４は、一端側にインシュレータ２への固定部４ａ、他端側にプリント基板等に接続する端子部４ｂ、及び、中間に接点部４ｃを有する。
【００２２】
第１のコンタクト３の接点部３ａ１は、インシュレータ２の上部側壁２ｂに配設され、また、第２のコンタクト４の接点部４ｃは、インシュレータ２の下部側壁２ｃに配設される。
【００２３】
コネクタ１とＦＰＣ１１との嵌合離脱は、次の操作によって行われる。
【００２４】
図２と図３に示される状態において、まず、ＦＰＣ１１をインシュレータ２の挿入部２ａに挿入する。次に、操作部５を一対の回転軸５ａを支点として右方向に９０°回転させる。すると、操作部５の押圧部５ｂは、第１のコンタクト３の被押圧部３ａ２を押圧する。したがって、第１のコンタクト３は、連結部３ａ３を中心として若干左回転するので、接点部３ａ１は、図４に示されるように、ＦＰＣ１１の表面の接点（図示せず）と接触する。また、ＦＰＣ１１の裏面の接点（図示せず）は、図５に示されるように、第２のコンタクト４の接点部４ｃと接触する。この結果、ＦＰＣ１１の表裏両面は、それぞれ第１のコンタクト３と第２のコンタクト４を介してプリント基板等と接続する。このように、コネクタ１とＦＰＣ１１との嵌合は、行われる。
【００２５】
ＦＰＣ１１をコネクタ１から離脱させる操作は、次のように行われる。図４と図５に示される嵌合後の状態において、操作部５を左方向に９０°回転させると、第１のコンタクト３の接点部３ａ１は、図２に示される状態まで復帰する。したがって、ＦＰＣ１１は、第１のコンタクト３と接触していないので、インシュレータ２の挿入部２ａから抵抗なく抜出可能である。
【００２６】
本実施の形態例では、各第１のコンタクト３の縦方向部３ｃが、ばね性を有し、操作部５を操作したときに弾性変形するが、連結部３ａ３と接点部３ａ１もばね性を有するように設計変更することができる。また、操作部５は、回転運動を行うが、直線運動を行うように設計変更することができる。
【００２７】
【発明の効果】
以上の説明から明らかなように、本発明によれば、次の効果が、奏される。
【００２８】
１．インシュレータにおいて、一列に一種類のコンタクトを配設するので、簡易に組み立てることができる。
【００２９】
２．各第１のコンタクトと各第２のコンタクトとが、千鳥状に配設され、クロスオーバーしないため、各第１のコンタクト間のピッチと各第２のコンタクト間のピッチは、従来のコネクタと対比して２倍に大きくなる。したがって、インシュレータの成形は、容易になり、また、インシュレータの強度は、向上する。更に、両コンタクトのピッチが大きい割に、コネクタが小型に構成される。
【００３０】
３．インシュレータの強度が向上するため、本コネクタの各コンタクトと相手側の基板の各コンタクトとの接触圧力が安定する。
【００３１】
４．従来のＦＰＣ用コネクタの第２のコンタクトは、ばね性を有するが、本コネクタの第２のコンタクトは、ばね性を有しないため、本コネクタの高さが低くなるので、コネクタの小型化と省スペース化が図られる。
【００３２】
５．相手側の基板の各コンタクトのピッチは、従来の基板の各コンタクトのピッチの２倍に大きくなる。
【図面の簡単な説明】
【図１】本発明の一実施の形態例のＦＰＣ用コネクタの諸図であり、（Ａ）は平面図、（Ｂ）は正面図、（Ｃ）は側面図、（Ｄ）は下面図を、それぞれ示す。
【図２】ケーブルが嵌合する前の状態の同コネクタにおける第１のコンタクトが配設された箇所とその付近の断面図である。
【図３】同ケーブルが嵌合する前の状態の同コネクタにおける第２のコンタクトが配設された箇所とその付近の断面図である。
【図４】同ケーブルが嵌合した後の状態の同コネクタにおける同第１のコンタクトが配設された箇所とその付近の断面図である。
【図５】同ケーブルが嵌合した後の状態の同コネクタにおける同第２のコンタクトが配設された箇所とその付近の断面図である。
【図６】従来のＦＰＣ用コネクタの断面図であり、（Ａ）はケーブルが嵌合する前の状態の同コネクタ、（Ｂ）は同ケーブルが嵌合した後の状態の同コネクタを、それぞれ示す。
【符号の説明】
１　　コネクタ（ＦＰＣ用コネクタ）
２　　インシュレータ
２ａ　　挿入部
２ｂ　　上部側壁
２ｃ　　下部側壁
３　　第１のコンタクト
３ａ　　第１の横方向部
３ａ１　　接点部
３ａ２　　被押圧部
３ａ３　　連結部
３ｂ　　第２の横方向部
３ｂ１　　固定部
３ｂ２　　端子部
３ｂ３　　連結部
３ｃ　　縦方向部
４　　第２のコンタクト
４ａ　　固定部
４ｂ　　端子部
４ｃ　　接点部
５　　操作部（アクチュエータ）
５ａ　　回転軸
５ｂ　　押圧部
１１　　ＦＰＣ
【図１】
2004127558.tif 000003
【図２】
2004127558.tif 000004
【図３】
2004127558.tif 000005
【図４】
2004127558.tif 000006
【図５】
2004127558.tif 000007
【図６】
2004127558.tif 000008